(57)【要約】  光ディスクの搬送経路に進退し光ディスクの周縁に当接して案内するディスクガイド機構４１と、搬送経路に進退し光ディスクの周縁に当接して光ディスクを案内しつつスロット１１からターンテーブル２３へ押し込むロードアーム４２１と、搬送経路に進退し搬送経路に進出することで光ディスクをスロット１１へ送り出すイジェクトアーム４３２と、にて光ディスクを３箇所で保持して搬送する搬送手段３０に、挿入する光ディスクの径寸法に対応して移動するロードアーム４２１の移動状態に応じて適宜移動し、ディスクガイド機構４１およびイジェクトアーム４３２の移動を光ディスクの径寸法に応じて規制するスライドストッパ４２４を設ける。機械的に簡単な構成でできる。
2007046421.tif 000002
【特許請求の範囲】
【請求項１】
径寸法が異なるディスク状の記録媒体が挿通可能なスリット状の開口部を有した装置本体内に設けられ、前記開口部に挿入された前記記録媒体を前記装置本体内に配設され前記記録媒体を回転可能に保持するターンテーブルに保持される位置まで搬送する搬送装置であって、
前記開口部および前記ターンテーブルに保持される位置で搬送される前記記録媒体の搬送経路に対して交差する方向に進退可能に前記装置本体内に設けられ、前記搬送経路を搬送される前記記録媒体の周縁に当接して案内するガイド部材と、
前記搬送経路を介して前記ガイド部材に対して反対側に位置し前記搬送経路と交差する方向に進退可能に前記装置本体内に設けられ、前記記録媒体の周縁に当接して前記記録媒体を前記ガイド部材にて案内させつつ前記開口部から前記ターンテーブルに保持される位置へ送り込む搬入部材と、
前記搬送経路に進退可能に前記装置本体内に設けられ、前記開口部から挿入され前記搬入部材にて送り込まれる前記記録媒体の周縁に当接して前記搬送経路に対して後退し前記搬送経路に進出することにより前記記録媒体を前記開口部へ送り出す搬出部材と、
前記開口部から挿入される前記記録媒体の径寸法に対応して移動される前記搬入部材の移動状態に応じて移動可能で前記ガイド部材および前記搬出部材のうちの少なくともいずれか一方に係脱可能に前記装置本体内に配設され、移動状態に応じて前記ガイド部材および前記搬出部材のうちの少なくともいずれか一方と係脱して前記ガイド部材および前記搬出部材の少なくともいずれか一方の移動を前記記録媒体の径寸法に応じて規制するストッパ部と、
を具備したことを特徴とした搬送装置。
【請求項２】
請求項１に記載の搬送装置であって、
前記ガイド部材および前記搬出部材のうちの少なくともいずれか一方は、第１係止部を有し、
前記ストッパ部は、前記開口部より挿入された径寸法の異なる前記記録媒体に前記搬出部材が当接して移動される移動量に応じて前記第１係止部が係脱する第１係合部を有し、この第１係合部の係脱状態に応じて前記ガイド部材および前記搬出部材のうちの少なくともいずれか一方の移動の規制状態を切り替える
ことを特徴とした搬送装置。
【請求項３】
請求項２に記載の搬送装置であって、
前記第１係止部は、前記搬出部材に設けられ、
前記ストッパ部は、前記記録媒体の径寸法に応じて前記第１係止部がそれぞれ係脱可能に第１係合部を複数設け、前記搬出部材の移動量に応じて移動する前記第１係止部をこのストッパ部の移動により所定の前記第１係合部に係合させて前記搬出部材の移動を前記記録媒体の径寸法に応じて規制する
ことを特徴とした搬送装置。
【請求項４】
請求項３に記載の搬送装置であって、
前記ストッパ部は、一方向にスライド移動可能に配設され、
前記第１係止部は、ピン状に設けられ、
前記第１係合部は、前記ストッパ部の移動方向に略沿った方向に凹溝状で移動方向と反対側の端部が前記搬出部材の移動により移動される前記第１係止部の移動軌跡に応じ前記第１係止部が滑動する凹溝状の移動部にて連通する略櫛状に形成された
ことを特徴とした搬送装置。
【請求項５】
請求項４に記載の搬送装置であって、
前記第１係合部は、前記ストッパ部の移動方向に略沿った凹溝状の規制部と、この規制部に連続し前記ストッパ部の移動方向に対して交差する方向に凹溝状で、前記ストッパ部のスライド移動により前記第１係止部が相対的に移動され前記記録媒体に当接する前記搬出部材が前記ターンテーブルに保持された記録媒体の周縁から離間する状態に移動させる待避部と、を有した
ことを特徴とした搬送装置。
【請求項６】
請求項２ないし請求項５のいずれかに記載の搬送装置であって、
前記搬出部材は、前記記録媒体の周縁が当接する端部が搬送経路に進退可能に回動可能に配設され、
この搬出部材の回動軸に同軸上に前記搬出部材に一体的に設けられた歯車およびこの歯車に係合し歯車の回転により回動するアーム部材を備え、
前記第１係止部は、前記アーム部材に一体的に設けられた
ことを特徴とした搬送装置。
【請求項７】
請求項２ないし請求項６のいずれかに記載の搬送装置であって、
電動機と、前記第１係止部および前記第１係合部の係脱に対応してオンオフするスイッチと、このスイッチのオンオフにより前記電動機を駆動させる駆動制御部と、前記ストッパ部に係合し前記電動機の駆動により移動されて前記ストッパ部を移動させ、前記ターンテーブルを搬送経路上に進退させるカムと、を備えた動作部を具備した
ことを特徴とした搬送装置。
【請求項８】
請求項１に記載の搬送装置であって、
前記ガイド部材および前記搬出部材のうちの少なくともいずれか一方は、第２係止部を有し、
前記ストッパ部は、前記開口部より挿入された径寸法の異なる前記記録媒体に前記ガイド部材が当接して移動される移動量に応じて前記第２係止部が係脱する第２係合部を有し、この第２係合部の係脱状態に応じて前記ガイド部材および前記搬出部材のうちの少なくともいずれか一方の移動の規制状態を切り替える
ことを特徴とした搬送装置。
【請求項９】
請求項８に記載の搬送装置であって、
前記第２係止部は、前記ガイド部材にピン状に設けられ、
前記ストッパ部は、一方向にスライド移動可能に配設され、
前記第２係合部は、前記ガイド部材の移動により移動する前記第２係止部の移動経路上に進退可能に前記ストッパ部に舌片状に突設され、前記ガイド部材の移動に伴う前記第２係止部が移動経路上に進出する前記第２係合部に当接することにより前記ガイド部材の移動を規制する
ことを特徴とした搬送装置。
【請求項１０】
請求項９に記載の搬送装置であって、
前記ストッパ部は、前記第２係合部における突出方向の両側基端部に、このストッパ部の移動方向に対して交差する方向でそれぞれ同方向に傾斜し、このストッパ部の移動により第２係止部が係合されて前記記録媒体に当接する前記ガイド部材が前記ターンテーブルに保持された記録媒体の周縁から離間する状態に移動させる逃げ部を有した
ことを特徴とした搬送装置。
【請求項１１】
請求項８ないし請求項１０のいずれかに記載の搬送装置であって、
電動機と、前記第２係止部および前記第２係合部の係脱に対応してオンオフするスイッチと、このスイッチのオンオフにより前記電動機を駆動させる駆動制御部と、前記ストッパ部に係合し前記電動機の駆動により移動されて前記ストッパ部を移動させ、前記ターンテーブルを搬送経路上に進退させるカムと、を備えた動作部を具備した
ことを特徴とした搬送装置。
【請求項１２】
請求項１ないし請求項１１のいずれかに記載の搬送装置であって、
前記搬入部材は、第３係止部を有し、
前記ストッパ部は、前記開口部より挿入された径寸法の異なる前記記録媒体に前記搬出部材が当接して移動される移動量に応じて前記第３係止部が係脱する第３係合部を有し、この第３係合部に前記第３係止部が係合されることにより適宜移動されて前記ガイド部材および前記搬出部材のうちの少なくともいずれか一方の移動の規制状態を解除する
ことを特徴とした搬送装置。
【請求項１３】
請求項１２に記載の搬送装置であって、
前記ストッパ部は、一方向にスライド移動可能に配設され、
前記第３係止部および前記第３係合部のうちの少なくともいずれか一方は、互いの係合の際に滑動して前記ストッパ部をスライド移動させる傾斜縁を有した
ことを特徴とした搬送装置。
【請求項１４】
請求項１２または請求項１３に記載の搬送装置であって、
電動機と、前記ストッパ部の移動に対応してオンオフするスイッチと、このスイッチのオンオフにより前記電動機を駆動させる駆動制御部と、前記ストッパ部に係合し前記電動機の駆動により移動されて前記ストッパ部を移動させ、前記ターンテーブルを搬送経路上に進退させるカムと、を備えた動作部を具備した
ことを特徴とした搬送装置。
【請求項１５】
径寸法が異なるディスク状の記録媒体が挿通可能なスリット状の開口部を有した装置本体と、
この装置本体内に配設され前記記録媒体を回転可能に保持するターンテーブルと、
前記装置本体内に配設され前記ターンテーブルで保持された前記記録媒体へ情報を記録する記録処理および前記記録媒体に記録された情報を読み取る読取処理のうちの少なくともいずれか一方を実施する情報処理部と、
前記装置本体内に配設された請求項１ないし請求項１４のいずれかに記載の搬送装置と、
を具備したことを特徴としたディスク装置。
【発明の詳細な説明】
【技術分野】
【０００１】
本発明は、径寸法が異なるディスク状の記録媒体が挿通可能な開口部と記録媒体を回転可能に保持するターンテーブルとの間で記録媒体を搬送する搬送装置、および、ディスク装置に関する。
【背景技術】
【０００２】
従来、異なる径寸法のディスク状の記録媒体に記録された情報を読み取り可能な構成において、この情報を読み取る記録媒体の径寸法を判別する構成が知られている（例えば、特許文献１参照）。【０００３】
この特許文献１に記載のものは、スピンドルサーボ回路のアンプのゲインを１２ｃｍＣＤ（Compact Disc）が回転可能なゲインに設定して、サーボオンとする。さらに、ＣＤをディスク径によらず同一回転数で定常回転させて、サブコード同期信号を検出するとサーボオフとするとともに、加速パルスでスピンドルモータの加速を開始させる。そして、タイマをスタートさせて、次のサブコード同期信号を検出するとタイマをストップさせ、再びサーボオンとする。この後、タイマ値が基準時間よりも長いときには、ＣＤが１２ｃｍＣＤであると判別して、アンプのゲインを１２ｃｍＣＤ用のゲインに設定する。一方、タイマ値が基準時間よりも短いときには、ＣＤが８ｃｍＣＤであると判別して、８ｃｍＣＤ用のゲインに設定する。【０００４】
【特許文献１】特開平９−１２８８７７号公報（第３頁左欄−第６頁左欄）
【発明の開示】
【発明が解決しようとする課題】
【０００５】
しかしながら、上述したような特許文献１のような構成では、既にターンテーブルに保持されたＣＤの径寸法を判別するため、ＣＤが挿入された時点では径寸法が判別できず、挿入されたＣＤが適切に保持されずに搬送経路から逸脱し、ターンテーブルまで適切に搬送できなくなるおそれがあるという問題点が一例として挙げられる。【０００６】
本発明は、このような実情などに鑑みて、径寸法が異なるディスク状の記録媒体が適切に搬送される搬送装置、および、ディスク装置を提供することを１つの目的とする。
【課題を解決するための手段】
【０００７】
本発明の搬送装置は、径寸法が異なるディスク状の記録媒体が挿通可能なスリット状の開口部を有した装置本体内に設けられ、前記開口部に挿入された前記記録媒体を前記装置本体内に配設され前記記録媒体を回転可能に保持するターンテーブルに保持される位置まで搬送する搬送装置であって、前記開口部および前記ターンテーブルに保持される位置で搬送される前記記録媒体の搬送経路に対して交差する方向に進退可能に前記装置本体内に設けられ、前記搬送経路を搬送される前記記録媒体の周縁に当接して案内するガイド部材と、前記搬送経路を介して前記ガイド部材に対して反対側に位置し前記搬送経路と交差する方向に進退可能に前記装置本体内に設けられ、前記記録媒体の周縁に当接して前記記録媒体を前記ガイド部材にて案内させつつ前記開口部から前記ターンテーブルに保持される位置へ送り込む搬入部材と、前記搬送経路に進退可能に前記装置本体内に設けられ、前記開口部から挿入され前記搬入部材にて送り込まれる前記記録媒体の周縁に当接して前記搬送経路に対して後退し前記搬送経路に進出することにより前記記録媒体を前記開口部へ送り出す搬出部材と、前記開口部から挿入される前記記録媒体の径寸法に対応して移動される前記搬入部材の移動状態に応じて移動可能で前記ガイド部材および前記搬出部材のうちの少なくともいずれか一方に係脱可能に前記装置本体内に配設され、移動状態に応じて前記ガイド部材および前記搬出部材のうちの少なくともいずれか一方と係脱して前記ガイド部材および前記搬出部材の少なくともいずれか一方の移動を前記記録媒体の径寸法に応じて規制するストッパ部と、を具備したことを特徴とする。【０００８】
本発明のディスク装置は、径寸法が異なるディスク状の記録媒体が挿通可能なスリット状の開口部を有した装置本体と、この装置本体内に配設され前記記録媒体を回転可能に保持するターンテーブルと、前記装置本体内に配設され前記ターンテーブルで保持された前記記録媒体へ情報を記録する記録処理および前記記録媒体に記録された情報を読み取る読取処理のうちの少なくともいずれか一方を実施する情報処理部と、前記装置本体内に配設された前述した本発明の搬送装置と、を具備したことを特徴とする。
【図面の簡単な説明】
【０００９】
【図１】本発明の一実施形態に係るディスク装置の装置本体内部を示す平面図である。
【図２】前記一実施形態におけるアーム位置検出スイッチ近傍の概略を示す部分拡大図である。
【図３】前記一実施形態におけるクランプ検出スイッチ近傍の概略を示す部分拡大図である。
【図４】前記一実施形態における大径ディスクを挿入した場合におけるアーム位置検出スイッチ近傍の状態を示す部分拡大図である。
【図５】前記一実施形態における大径ディスクを挿入した場合で大径ディスクの半分程度が挿入された状態におけるディスク装置の装置本体の内部を示す平面図である。
【図６】前記一実施形態における大径ディスクを挿入した場合のディスク挿入完了時におけるディスク装置の装置本体の内部を示す平面図である。
【図７】前記一実施形態における大径ディスクのクランプ状態時におけるディスク装置の装置本体の内部を示す平面図である。
【図８】前記一実施形態における小径ディスクを挿入した場合におけるアーム位置検出スイッチ近傍の状態を示す部分拡大図である。
【図９】前記一実施形態における小径ディスクを挿入した場合で小径ディスクの半分程度が挿入された状態におけるディスク装置の装置本体の内部を示す平面図である。
【図１０】前記一実施形態における小径ディスクを挿入した場合のディスク挿入完了時におけるディスク装置の装置本体の内部を示す平面図である。
【図１１】前記一実施形態における小径ディスクのクランプ状態時におけるディスク装置の装置本体の内部を示す平面図である。
【符号の説明】
【００１０】
１………記録媒体としての光ディスク
１Ａ……記録媒体としての大径ディスク
１Ｂ……記録媒体としての小径ディスク
１００………ディスク装置
１０………装置本体
１１………開口部であるスロット
２３………ターンテーブル
２４………情報処理部
３０………搬送装置としての搬送手段
３１………電動機としての搬送モータ
４１………ガイド部材としてのディスクガイド機構
４１４Ａ……第１係止部としても機能し得る第２係止部としてのアーム規制ピン
４２１………搬入部材としてのロードアーム
４２３Ｃ……第３係止部としての係合突起
４２４………ストッパ部としてのスライドストッパ
４２４Ａ……傾斜縁となる傾斜当接部
４２４Ｂ……第３係合部としての第３係合凹部
４２４Ｃ……第１係合部としても機能し得る第２係合部としての規制ストッパ
４２４Ｆ……第２係合部としても機能し得る第１係合部としてのイジェクト規制窓
４２４Ｆ１…規制部としても機能し得る第１係合部でもある大径ディスク用イジェクト規制溝
４２４Ｆ２…規制部としても機能し得る第１係合部でもある小径ディスク用イジェクト規制溝
４２４Ｆ３…移動部としての移動溝
４２４Ｇ１…逃げ部としての大径ディスク用逃げ部
４２４Ｇ２…逃げ部としての小径ディスク用逃げ溝
４３２………搬出部材としてのイジェクトアーム
４３１Ａ……第２係止部としても機能し得る第１係止部としてのイジェクト規制ピン
４４………カムである第１の駆動カム
４５………カムである第２の駆動カム
４８Ａ……スイッチである第１スイッチ
４８Ｂ……スイッチである第２スイッチ
４８Ｃ……スイッチである第３スイッチ
【発明を実施するための最良の形態】
【００１１】
以下、本発明の一実施形態を図面に基づいて説明する。図１は、本発明の一実施形態に係るディスク装置の内部の概略を示す平面図である。図２は、アーム位置検出スイッチ近傍の概略を示す部分拡大図である。図３は、クランプ検出スイッチ近傍の概略を示す部分拡大図である。【００１２】
〔ディスク装置の構成〕
図１において、１００は、本発明の一実施形態に係るディスク装置であり、このディスク装置１００は、着脱可能に装着されるディスク状の記録媒体としての円板状の記録媒体としての光ディスク１における少なくとも一面に設けられた図示しない記録面に記録された情報を読み取る情報処理である読取処理や記録面へ各種情報を記録する情報処理である記録処理をする。このディスク装置１００は、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよい。また、このディスク装置１００は、光ディスク１として、直径１２ｃｍの大径ディスク１Ａと、直径８ｃｍの小径ディスク１Ｂとを収納することができる。なお、ディスク状記録媒体としては、光ディスク１に限らず、磁気ディスク、光磁気ディスクなどのいずれのディスク状記録媒体を対象とすることができる。そして、ディスク装置１００は、例えば金属製で内部空間を有する略箱形状の装置本体１０を備えて構成されている。なお、この装置本体１０において、図１中下側を装置本体の正面１０Ａ、図１中の装置本体１０の左側壁を左壁１０Ｂ、図１中の装置本体１０の右側壁を右壁１０Ｃ、装置本体１０の正面１０Ａの反対側を背面１０Ｄと適宜称する。【００１３】
装置本体１０の内部には、いわゆるトラバースメカ（Traverse Mechanism）と称されるディスク処理部２０と、光ディスク１を搬送する搬送装置としても機能する搬送手段３０と、駆動制御部としての図示しない制御回路部とが設けられている。そして、装置本体１０の正面１０Ａには、光ディスク１を挿入排出するためのスリット状の開口部としてのスロット１１が図１中左右方向に延びて形成されている。【００１４】
ディスク処理部２０は、例えば金属板にて略板状に形成され一端が揺動自在に装置本体１０に支持された台座部２１を有している。この台座部２１は、装置本体１０の左壁１０Ｂの正面１０Ａ側から、中心位置に向かって長手に形成されている。また、台座部２１には、長手方向に沿って、長手状の処理開口部２１Ａが略中央に切欠形成されている。そして、台座部２１の処理開口部２１Ａの一端側、すなわち装置本体１０の略中心位置に、ディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に制御可能に接続され、制御回路部から供給される電力により駆動する。ターンテーブル２３は、装置本体１０の内部の略中心部に設けられるとともに光ディスク１を回転駆動する駆動部である。【００１５】
また、台座部２１には、情報処理部２４が配設されている。この情報処理部２４は、一対のガイドシャフト２５間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップを備えている。【００１６】
搬送手段３０は、装置本体１０に配設された、例えば制御回路部に動作制御される搬送モータ３１と、この搬送モータ３１の駆動により連動するリンク機構部３２とを備えている。【００１７】
リンク機構部３２は、装置本体１０の内部であってスロット１１の左壁１０Ｂ側に設けられたガイド部材としてのディスクガイド機構４１と、装置本体１０の内部であってスロット１１の右壁１０Ｃ側に設けられた搬入部材としても機能するディスク径検知機構４２と、ターンテーブル２３に配置された光ディスク１を排出する搬出部材としても機能するディスク排出機構４３と、台座部２１を揺動させるカムである第１の駆動カム４４および第２の駆動カム４５と、を備えている。【００１８】
ディスクガイド機構４１は、光ディスク１の搬送を案内するガイドレバー４１１と、このガイドレバー４１１の正面１０Ａ側に接続されるディスクガイド４１２と、保護プレートとしてのブリッジプレート４１３と、ブリッジプレート４１３に回動自在に設けられる搬出方向付勢部材としての８ｃｍアーム４１４と、を備えている。【００１９】
ガイドレバー４１１は、光ディスク１の搬送方向に長手状に形成される棒状部材である。このガイドレバー４１１の側面には、内方側（光ディスク１が挿入される側）に、光ディスク１の搬送方向への移動を案内する合成樹脂製の案内部４１１Ａが固定されている。この案内部４１１Ａは、左壁１０Ｂ側に向かって凹状となる案内溝が形成されており、光ディスク１の周縁をこの案内溝に摺接させて案内する。また、案内部４１１Ａには、底部側に突出する回動規制ピン４１１Ｃが形成されている。さらに、このガイドレバー４１１の側面は、案内部４１１Ａに続く背面１０Ｄ側が、内方に向かって湾曲した形状に形成されており、光ディスク１の移動を規制している。【００２０】
そして、ガイドレバー４１１の背面１０Ｄ側の端部には、天面側から底面側に貫通するガイドピン４１１Ｂが固定されている。このガイドピン４１１Ｂは、後述するブリッジプレート４１３および８ｃｍアーム４１４に係止されている。また、ガイドレバー４１１の正面１０Ａ側端部は、ディスクガイド４１２が回動自在に接続されている。【００２１】
さらに、ガイドレバー４１１の正面１０Ａ側の端部には、左壁１０Ｂに対向して板ばね４１１Ｄが設けられている。この板ばね４１１Ｄは、ガイドレバー４１１が左壁１０Ｂ側に移動した際に、このガイドレバー４１１とディスクガイド４１２との接続部を内方側に付勢する。これにより、ガイドレバー４１１およびディスクガイド４１２の接続部が外方側に屈折することを防止している。【００２２】
ディスクガイド４１２は、長手状に形成され、一端部が装置本体１０の左壁１０Ｂ近傍に回動可能に取り付けられている。また、ディスクガイド４１２の他端部は前記したように、ガイドレバー４１１の一端部に回動可能に接続されている。これにより、ガイドレバー４１１の正面１０Ａ側端部は、ディスクガイド４１２の一端部を回動中心とし、ディスクガイド４１２の長さ寸法を径とした円弧上を回動可能となる。また、ディスクガイド４１２の底面側には、内方に突出するフランジ部４１２Ａが形成されており、このフランジ部４１２Ａに沿って、光ディスク１が挿入される際に光ディスク１の周縁部が摺接される摺接面４１２Ｂが形成されている。さらに、ディスクガイド４１２およびガイドレバー４１１の接続部は、光ディスク１を排出する際に、光ディスク１の周縁を正面１０Ａ側に押出す押出部４１２Ｃとなっている。【００２３】
ブリッジプレート４１３は、装置本体１０の背面１０Ｄ側に左右方向に亘って設けられる板状部材である。このブリッジプレート４１３は、前述した制御回路部の上方に覆うように設けられ、この制御回路部を保護している。そして、ブリッジプレート４１３の左壁１０Ｂ側には、装置本体１０の背面１０Ｄ側角部から内部中心位置に向かって案内ガイド部としての案内ガイド溝４１５が形成されている。【００２４】
この案内ガイド溝４１５は、前記ガイドレバー４１１およびディスクガイド４１２の接続部の回動軌跡と略平行する形状に形成される第一案内部としての円弧溝４１５Ａと、この円弧溝４１５Ａに連続して光ディスク１の搬送方向に略沿って伸びる第二案内部としての直線溝４１５Ｂと、この直線溝４１５Ｂに連続して形成されるとともに、直線溝４１５Ｂに対して所定の角度だけ装置本体１０の中心位置方向に傾斜する第二案内部としての傾斜溝４１５Ｃとを備えている。そして、この案内ガイド溝４１５には、ガイドレバー４１１の底面側に突出するガイドピン４１１Ｂが係止され、ガイドレバー４１１の移動を案内している。ここで、この直線溝４１５Ｂは、ターンテーブル２３から直線溝４１５Ｂの延長線上に下ろした垂線の長さが小径ディスク１Ｂの半径と略同一寸法となるように設定されている。【００２５】
また、ブリッジプレート４１３の右壁１０Ｃ側には、８ｃｍアーム４１４が回動可能に軸支されている。さらに、ブリッジプレート４１３の中心部および右壁１０Ｃ側には、８ｃｍアーム４１４の軸支位置を中心とした円弧状のアーム規制溝４１３Ａが形成され、８ｃｍアーム４１４の回動範囲を規制している。【００２６】
そして、ブリッジプレート４１３の右壁１０Ｃ側には、後述するディスク排出機構４３のアーム部材としてのアシストアーム４３１が回動可能に軸支され、このアシストアーム４３１の回動中心とした円弧状のアシスト規制溝４１３Ｂが形成されている。また、ブリッジプレート４１３の略中心には、アシストアーム４３１に噛合する搬出部材としてのイジェクトアーム４３２が回動可能に軸支されている。さらに、ブリッジプレート４１３の正面１０Ａ側には、左右方向に長手となる制御溝４１３Ｃが形成されている。また、ブリッジプレート４１３には、アシストアーム４３１の回動中心とした円弧状でアシストアーム４３１の回動中心を介してアシスト規制溝４１３Ｂと反対側に位置してアシスト規制溝部４１３Ｄが形成されている。【００２７】
さらには、ブリッジプレートの左壁１０Ｂ側には、ブリッジプレート４１３およびガイドレバー４１１の間にプッシュアーム４１６が回動可能に軸支されている。このプッシュアーム４１６は、長手状に形成され長手一端部から軸支位置に向かってピン係止溝４１６Ａが形成されている。このピン係止溝４１６Ａには、ガイドレバー４１１のガイドピン４１１Ｂが案内ガイド溝４１５の円弧溝４１５Ａを移動する際に、案内部４１１Ａに形成された回動規制ピン４１１Ｃが挿通される。そして、ガイドレバー４１１がさらに左壁１０Ｂ側に移動して、回動規制ピン４１１Ｃによりピン係止溝４１６Ａが押されると、プッシュアーム４１６が左壁１０Ｂ側に回動する。また、プッシュアーム４１６の右壁１０Ｃ側には、下方側に突出する押え片４１６Ｂが形成されている。この押え片４１６Ｂは、プッシュアーム４１６が左壁１０Ｂ側に回動した際に、後述するスライドストッパ４２４のプッシュストッパ４２４Ｅが当接されることによりプッシュアーム４１６の回動が規制され、ガイドレバー４１１を左壁１０Ｂ側に移動させた状態で保持する。また、プッシュアーム４１６の先端部には、ブリッジプレート４１３との間にプッシュアーム付勢ばね４１６Ｃが設けられている。このプッシュアーム付勢ばね４１６Ｃは、プッシュアーム４１６を内方側、すなわち左壁１０Ｂから離れる方向に付勢しており、スライドストッパ４２４が押え片４１６Ｂから離れると、プッシュアーム４１６を内方側に回動させる。【００２８】
８ｃｍアーム４１４は、前述したように、ブリッジプレート４１３の右壁１０Ｃ側に回動軸４１４Ｄを中心に回動可能に軸支されている。また、８ｃｍアーム４１４は、底部側に突出する第１係止部としても機能し得る第２係止部としてのアーム規制ピン４１４Ａを備えており、このアーム規制ピン４１４Ａがブリッジプレート４１３のアーム規制溝４１３Ａに係止されている。さらに、８ｃｍアーム４１４の先端部には、この８ｃｍアームの長手に沿って形成されるガイドリンク溝４１４Ｂが形成されている。このガイドリンク溝４１４Ｂには、ガイドレバー４１１の天面側に突出するガイドピン４１１Ｂが係止されている。そして、８ｃｍアーム４１４の回動軸４１４Ｄ近傍には、内方側に突出する接触部材４１４Ｅが設けられている。この接触部材４１４Ｅは、図２に示すように、内方側から８ｃｍアーム４１４の先端側に薄板状に突出する第１の突出部４１４Ｅ１と、この第１の突出部４１４Ｅ１の突出先端から底部側に薄板状に突出する第２の突出部４１４Ｅ２と、を備えている。そして、この第２の突出部４１４Ｅ２には、図１に示すように、８ｃｍアームの左壁１０Ｂ側先端部を正面１０Ａ側に付勢するアーム付勢ばね４１４Ｃが設けられている。このアーム付勢ばね４１４Ｃにより８ｃｍアーム４１４は常に反時計周り方向に付勢されている。そして、この８ｃｍアーム４１４によりガイドレバー４１１は、ガイドピン４１１Ｂが案内ガイド溝４１５の傾斜溝４１５Ｃの先端部に位置する初期状態に戻るように、すなわち光ディスク１を排出する方向に案内するように付勢されている。【００２９】
また、制御回路部における回動軸４１４Ｄ近傍には、停止位置検出手段としてのアーム位置検出スイッチ４６が設けられている。このアーム位置検出スイッチ４６は、図２に示すように、薄四角箱状の検出手段基体としてのスイッチ基体４６Ａと、このスイッチ基体４６Ａの一側面に接触部材４１４Ｅの第２の突出部４１４Ｅ２の接触により進退する移動部材としての進退部材４６Ｂと、を備えている。進退部材４６Ｂは、大径ディスク１Ａが挿入されて８ｃｍアーム４１４がアーム付勢ばね４１４Ｃの付勢に抗して背面１０Ｄの近接位置に移動した際に、接触部材４１４Ｅの接触により押されてオン状態となる（図４参照）。また、小径ディスク１Ｂが挿入されて、あるいは、光ディスク１が挿入されずに８ｃｍアーム４１４がアーム付勢ばね４１４Ｃの付勢により背面１０Ｄから離れた位置に移動した際に、接触部材４１４Ｅの接触から解除されて押されずにオフ状態となる（図２および図８参照）。すなわち、アーム位置検出スイッチ４６は、８ｃｍアーム４１４の停止位置に応じて、オン状態またはオフ状態に設定される。【００３０】
ディスク径検知機構４２は、図１に示すように、スロット１１に挿入された光ディスク１が大径ディスク１Ａである場合はディスクガイド機構４１のガイドレバー４１１の移動規制を解除し、光ディスク１が小径ディスク１Ｂである場合にはガイドレバー４１１の移動を規制するものである。【００３１】
具体的には、ディスク径検知機構４２は、一端部が光ディスク１と当接するとともに他端部側が装置本体１０に回動自在とされた検出手段としてのロードアーム４２１と、このロードアーム４２１に連結されロードアーム４２１の回動角度が大きい場合にガイドレバー４１１およびイジェクトアーム４３２の移動規制を解除しロードアーム４２１の回動角度が小さい場合にはガイドレバー４１１およびイジェクトアーム４３２の移動を規制するアームリンク機構４２２とを備えている。【００３２】
ロードアーム４２１は、一端部に光ディスク１の周縁部に当接するローラ状の当接部４２１Ａが設けられ他端部が装置本体１０に回動自在に支持されている。このロードアーム４２１は、細長い矩形状の板部材で形成されており、その長手方向に沿ってガイド溝４２１Ｂが形成されている。また、ロードアーム４２１は、図示しない付勢手段により、図１に示すような初期位置に戻るように、時計回り方向に付勢されている。【００３３】
アームリンク機構４２２は、ガイド溝４２１Ｂに案内される突起４２３Ａが一端部に設けられた略平板状のリンクアーム４２３と、このリンクアーム４２３と一端部が連結された略平板状のストッパ部としてのスライドストッパ４２４とを備えている。【００３４】
ロードアーム４２１およびリンクアーム４２３は、装置本体１０内の右壁１０Ｃ側にあり、かつ、ディスクガイド機構４１のガイドレバー４１１およびディスクガイド４１２が配置された平面と略同じ平面内に配置されている。【００３５】
リンクアーム４２３は、他端側において、装置本体１０に固定された回動軸４２３Ｂに対して回動自在に支持されており、回動軸４２３Ｂを挟んで突起４２３Ａと対向する位置に第３係止部としての係合突起４２３Ｃがリンクアーム４２３に形成されている。また、リンクアーム４２３の係合突起４２３Ｃが設けられる端部には、図示しない付勢部材が設けられ、右壁１０Ｃ側に付勢している。これにより、ロードアーム４２１は、内方側、すなわち時計回りに付勢されている。【００３６】
スライドストッパ４２４は、ターンテーブル２３より背面１０Ｄ側において、ブリッジプレート４１３の底面部側に、図中左右方向に移動可能に配置されており、その右端部にスライドストッパ４２４の移動方向となる図１における右側に向けて略舌片状に突出する係合突起４２３Ｃに当接するとともに、光ディスク１の搬送方向に対して傾斜する傾斜縁となる傾斜当接部４２４Ａを有した第３係合部としての第３係合凹部４２４Ｂが形成されている。そして、光ディスク１として大径ディスク１Ａが挿入され、ロードアーム４２１が回動すると、リンクアーム４２３も回動されて係合突起４２３Ｃが正面１０Ａ側に移動し、この係合突起４２３Ｃに当接する傾斜当接部４２４Ａが押されるため、スライドストッパ４２４が右壁１０Ｃ側にスライド移動する。また、スライドストッパ４２４には、ブリッジプレート４１３のアーム規制溝４１３Ａの一部を閉塞可能な第１係合部としても機能し得る第２係合部としての規制ストッパ４２４Ｃが設けられている。この規制ストッパ４２４Ｃは、上記の如くロードアーム４２１が回動してスライドストッパ４２４が右壁１０Ｃ側に移動すると、アーム規制溝４１３Ａを開放して８ｃｍアーム４１４のアーム規制ピン４１４Ａが移動可能な状態となる。一方、ロードアーム４２１が初期位置に戻り、スライドストッパ４２４が初期位置に戻ると、アーム規制溝４１３Ａを閉塞してアーム規制ピン４１４Ａが移動できない状態となる。これにより、８ｃｍアーム４１４に連結されたガイドレバー４１１の回動も規制される。これにより、ガイドレバー４１１も左壁１０Ｂ側に移動可能となる。【００３７】
また、スライドストッパ４２４の正面１０Ａ側には、第２の駆動カム４５と連結可能なカム連動溝４２４Ｄが形成されている。これにより、第２の駆動カム４５が移動すると、スライドストッパ４２４も左右方向に移動する。そして、スライドストッパ４２４の左壁１０Ｂ側には、プッシュストッパ４２４Ｅが設けられている。このプッシュストッパ４２４Ｅは、第２の駆動カム４５の移動によりスライドストッパ４２４が左壁１０Ｂ側に移動すると、プッシュアーム４１６の押え片４１６Ｂに当接され、プッシュアーム４１６の回動を規制する。【００３８】
さらに、スライドストッパ４２４の略中心位置には、第２係合部としても機能し得る第１係合部としてのイジェクト規制窓４２４Ｆが開口形成されている。このイジェクト規制窓４２４Ｆは、スライドストッパ４２４の移動方向である左右方向に伸びる凹溝状に形成された、規制部としても機能し得る第１係合部でもある大径ディスク用イジェクト規制溝４２４Ｆ１と、規制部としても機能し得る第１係合部でもある小径ディスク用イジェクト規制溝４２４Ｆ２と、これら大径ディスク用イジェクト規制溝４２４Ｆ１および小径ディスク用イジェクト規制溝４２４Ｆ２におけるスライドストッパ４２４が第２の駆動カム４５にて移動される方向と反対側の端部が連通する状態に後述するアシストアーム４３１の回動による第２係止部としても機能し得る第１係止部としてのイジェクト規制ピン４３１Ａの移動軌跡に対応した移動部としての移動溝４２４Ｆ３と、を備えている。これらの大径ディスク用イジェクト規制溝４２４Ｆ１、および小径ディスク用イジェクト規制溝４２４Ｆ２には、第２の駆動カム４５の移動によりスライドストッパ４２４が左壁１０Ｂ側に移動すると、アシストアーム４３１のイジェクト規制ピン４３１Ａが係合され、アシストアーム４３１の回動を規制する。また、これらの大径ディスク用イジェクト規制溝４２４Ｆ１、および小径ディスク用イジェクト規制溝４２４Ｆ２は、移動溝４２４Ｆ３と反対側の端部がスライドストッパ４２４の移動方向と交差する方向、具体的にはターンテーブル２３から離れる方向に傾斜して形成されており、イジェクト規制ピン４３１Ａがこの傾斜部分に係合されることで、イジェクトアーム４３２と光ディスク１との間にクリアランスを確保する状態に、後述するアシストアーム４３１を介してイジェクトアーム４３２が回動させる。なお、この傾斜部分が本発明の待避部となり、イジェクト規制窓４２４Ｆが櫛状、具体的にはＦ字状に形成されている。そして、大径ディスク用イジェクト規制溝４２４Ｆ１および小径ディスク用イジェクト規制溝４２４Ｆ２間に位置する舌片状の部分がスライドストッパ４２４のスライド移動により、規制ストッパ４２４Ｃと同様に、ブリッジプレート４１３のアシスト規制溝部４１３Ｄに進退する状態となり、イジェクト規制ピン４３１Ａが大径ディスク用イジェクト規制溝４２４Ｆ１または小径ディスク用イジェクト規制溝４２４Ｆ２に係合される状態となる。【００３９】
また、スライドストッパ４２４には、規制ストッパ４２４Ｃの基端部で装置本体１０の背面１０Ｄ側に位置してスライドストッパ４２４の移動方向に対して交差する方向、具体的にはターンテーブル２３から離れる方向に段差状に傾斜する逃げ部としての大径ディスク用逃げ部４２４Ｇ１が設けられている。さらに、スライドストッパ４２４には、規制ストッパ４２４Ｃの基端部で大径ディスク用逃げ部４２４Ｇ１と反対側となる装置本体１０の正面１０Ａ側に位置して、スライドストッパ４２４の移動方向に対して交差する方向、具体的にはターンテーブル２３から離れる方向に凹溝状の逃げ部としての小径ディスク用逃げ溝４２４Ｇ２が設けられている。これら大径ディスク用逃げ部４２４Ｇ１および小径ディスク用逃げ溝４２４Ｇ２は、８ｃｍアーム４１４のアーム規制ピン４１４Ａが係合することで、ディスクガイド機構４１のガイドレバー４１１と光ディスク１との間にクリアランスを確保する状態にディスクガイド機構４１が移動される。【００４０】
さらに、スライドストッパ４２４には、装置本体１０の背面１０Ｄ側へ突出しさらに先端部が上方（図１における手前側）に折曲された位置決め規制片部４２４Ｈが設けられている。この位置決め規制片部４２４Ｈは、スライドストッパ４２４の移動方向で弾性変形可能にこの位置決め規制片部４２４Ｈの移動軌跡上にブリッジプレート４１３に配設された付勢部材である板ばね部材４１７に接離する。この接離状態は、リンクアーム４２３の係合突起４２３Ｃがスライドストッパ４２４の傾斜当接部４２４Ａに当接して、スライドストッパ４２４が右壁１０Ｃ側にスライド移動すると、板ばね部材４１７を弾性変形させる状態に当接し、リンクアーム４２３の係合突起４２３Ｃが背面１０Ｄ側に移動してスライドストッパ４２４の第３係合凹部４２４Ｂから外れると、板ばね部材４１７の弾性変形による復元力によりスライドストッパ４２４が左壁１０Ｂ側へ移動され、図１に示す定常位置に位置する状態となっている。【００４１】
ディスク排出機構４３は、光ディスク１をスロット１１に押出して排出する機構である。このディスク排出機構４３は、アシストアーム４３１と、イジェクトアーム４３２とを備えている。【００４２】
アシストアーム４３１は、前述したように、ブリッジプレート４１３右壁１０Ｃ側に回動自在に設けられ、アシスト規制溝４１３Ｂに係合するイジェクト規制ピン４３１Ａを備えている。これにより、アシストアーム４３１は、アシスト規制溝４１３Ｂ内で回動範囲が規制されている。また、このイジェクト規制ピン４３１Ａは前記したように、ブリッジプレート４１３のアシスト規制溝部４１３Ｄを介してイジェクト規制窓４２４Ｆに挿通されており、スライドストッパ４２４が移動して、大径ディスク用イジェクト規制溝４２４Ｆ１、または小径ディスク用イジェクト規制溝４２４Ｆ２に係合されることで、アシストアーム４３１の回動が規制される。すなわち、イジェクト規制ピン４３１Ａは、大径ディスク用イジェクト規制溝４２４Ｆ１および小径ディスク用イジェクト規制溝４２４Ｆ２間に位置する舌片状の部分がブリッジプレート４１３のアシスト規制溝部４１３Ｄの一部を閉塞する状態に進退することで、大径ディスク用イジェクト規制溝４２４Ｆ１または小径ディスク用イジェクト規制溝４２４Ｆ２に係合される。さらに、アシストアーム４３１の左壁１０Ｂ側の一端部には、歯車４３１Ｂが形成されている。このアシストアーム４３１は図示しない付勢部材により反時計周り方向、すなわち歯車４３１Ｂが正面１０Ａ側に向かう方向に付勢されている。また、アシストアーム４３１には、回動中心から外方に向けて突出する状態に舌片状の検出片部４３１Ｃが一体形成されている。【００４３】
イジェクトアーム４３２は、前述したようにブリッジプレート４１３に回動可能に設けられ、ブリッジプレート４１３を挟んで底面側に位置する歯車としての歯車部４３２Ａと、ブリッジプレート４１３の天面側に位置する長手状のアーム部４３２Ｂと、を備えている。歯車部４３２Ａは、アシストアーム４３１の歯車４３１Ｂに噛合しており、アシストアーム４３１の付勢力により、時計回り方向に付勢されている。この付勢力によりアーム部４３２Ｂが時計回り方向、すなわち光ディスク１をスロット１１に押し出す方向に付勢されている。また、アーム部４３２Ｂの先端部には、光ディスク１の周縁と当接するローラ状の当接部４３２Ｃが設けられている。さらに、イジェクトアーム４３２の回動中心に対してアーム部４３２Ｂとは反対側には、アーム制御突起４３２Ｄが形成されている。このアーム制御突起４３２Ｄは、イジェクトアーム４３２が回動すると、８ｃｍアーム４１４の側縁に当接する。【００４４】
第１の駆動カム４４および第２の駆動カム４５は、それぞれ係合溝（図示せず）が形成されており、これらの係合溝が台座部２１の２つの側面に形成されたカム突起（図示せず）にそれぞれ係合される。第１の駆動カム４４および第２の駆動カム４５は、略長尺状に形成されており、図示しないモータおよび歯車機構により長手方向に沿って進退される。これにより、台座部２１はターンテーブル２３に装着された光ディスク１の記録面に近接離隔するように揺動される。【００４５】
リンクアーム４２３と第１の駆動カム４４とには、光ディスク１が大径ディスク１Ａである場合にターンテーブル２３へ送る光ディスク１の送り量を小さくし、光ディスク１が小径ディスク１Ｂである場合にターンテーブル２３へ送る光ディスク１の送り量を大きくするディスク送り用カム部５１が設けられている。【００４６】
このディスク送り用カム部５１は、リンクアーム４２３に設けられた突起部５２と、この突起部５２と係合され第１の駆動カム４４に形成されたカム溝５３とを備えている。【００４７】
カム溝５３は、大径ディスク１Ａを送るための第１カム溝５３Ａと、小径ディスク１Ｂを送るための第２カム溝５３Ｂと、これらの第１カム溝５３Ａおよび第２カム溝５３Ｂとの一端部で合流される共通カム溝５３Ｃとを備えて構成されている。第１カム溝５３Ａと第２カム溝５３Ｂとは、それぞれ第１の駆動カム４４の移動方向に延びて形成されている。【００４８】
第２の駆動カム４５は、第１の駆動カム４４に連結されており、この第１の駆動カム４４の進退移動に連動して左右方向に進退移動する。この第２の駆動カム４５の第１駆動カム４４側には、図３に示すように、背面１０Ｄの方向に平面視長方形状に突出するカム突出部４５Ａが設けられている。そして、光ディスク１の中心がターンテーブル２３の上に位置することを図示しないセンサが検出すると、第１の駆動カム４４が背面１０Ｄ側に移動して、第２の駆動カム４５が左壁１０Ｂ側に移動する。この第２の駆動カム４５の移動により、台座部２１は光ディスク１の記録面に対して近接し、ターンテーブル２３に対して光ディスク１がクランプされる。この状態で、ターンテーブル２３が回転し、光ディスク１に情報が記録、あるいは光ディスク１に記録された情報が再生される。【００４９】
さらに、制御回路部における第２の駆動カム４５近傍には、図１および図３に示すように、保持検出手段としてのクランプ検出スイッチ４７が設けられている。このクランプ検出スイッチ４７は、薄四角箱状のスイッチ基体４７Ａと、このスイッチ基体４７Ａの一側面に第２の駆動カム４５のカム突出部４５Ａの接触により進退する進退部材４７Ｂと、を備えている。進退部材４７Ｂは、図３の想像線（２点鎖線）で示すように、第２の駆動カム４５が左壁１０Ｂ側に移動して光ディスク１がクランプされた際に、カム突出部４５Ａの接触により押されてオン状態となる。また、図３の実線で示すように、第２の駆動カム４５が右壁１０Ｃ側に移動して光ディスク１のクランプが解除された際に、カム突出部４５Ａの接触から解除されて押されずにオフ状態となる。【００５０】
制御回路部は、ディスク装置１００の動作を上述したように適宜制御する。また、制御回路部は、クランプ検出スイッチ４７のオン状態で、すなわち光ディスク１がクランプされている状態でイジェクトボタンが押されると、アーム位置検出スイッチ４６のオンオフ状態を認識する。そして、アーム位置検出スイッチ４６がオン状態であることを認識すると、大径ディスク１Ａがクランプされていると判断して、大径ディスク１Ａを排出する状態に各部材の動作を制御する。また、アーム位置検出スイッチ４６がオフ状態であることを認識すると、小径ディスク１Ｂがクランプされていると判断して、小径ディスク１Ｂを排出する状態に各部材の動作を制御する。【００５１】
また、制御回路部におけるスライドストッパ４２４の近傍には、図１に示すように、アーム位置検出スイッチ４６やクランプ検出スイッチ４７と同様の第１スイッチ４８Ａが配設されている。この第１スイッチ４８Ａは、スライドストッパ４２４の傾斜当接部４２４Ａに、ロードアーム４２１とともに回動するリンクアーム４２３の係合突起４２３Ｃが正面１０Ａ側に移動して当接し、スライドストッパ４２４が右壁１０Ｃ側にスライド移動すると、オン状態となる。また、第１スイッチ４８Ａは、リンクアーム４２３の係合突起４２３Ｃが背面１０Ｄ側に移動してスライドストッパ４２４の第３係合凹部４２４Ｂから外れ、板ばね部材４１７の復元力により定常位置にスライドストッパ４２４が移動されると、オフ状態となる。【００５２】
さらに、制御回路部におけるアシストアーム４３１の近傍には、図１に示すように、アーム位置検出スイッチ４６やクランプ検出スイッチ４７と同様の第２スイッチ４８Ｂおよび第３スイッチ４８Ｃが配設されている。第２スイッチ４８Ｂは、アシストアーム４３１の検出片部４３１Ｃの先端部近傍に位置し、イジェクトアーム４３２が図１に示す初期位置にある場合にオン状態で、８ｃｍの小径ディスク１Ｂがスロット１１から挿入されターンテーブル２３に保持される位置まで搬入されて回動することによりアシストアーム４３１が回動するとオフ状態となる位置に配設されている。また、第３スイッチ４８Ｃは、アシストアーム４３１の検出片部４３１Ｃの基端部近傍に位置し、イジェクトアーム４３２が図１に示す初期位置にある場合にオフ状態で、ターンテーブル２３に保持される小径ディスク１Ｂに当接するイジェクトアーム４３２の回動状態よりさらに背面１０Ｄ側へ回動されることでアシストアーム４３１が回動するとオン状態となる位置に配設されている。そして、これら第１スイッチ４８Ａ、第２スイッチ４８Ｂおよび第３スイッチ４８Ｃが所定の位置に搭載された制御回路部と、搬送モータ３１と、第１の駆動カム４４および第２の駆動カム４５と、により本発明の動作部が構成される。【００５３】
〔ディスク装置の動作〕
次に上記ディスク装置１００の動作について、図４ないし図１１に基づいて説明する。図４は、大径ディスクを挿入した場合におけるアーム位置検出スイッチ近傍の状態を示す部分拡大図である。図５は、大径ディスクを挿入した場合で大径ディスクの半分程度が挿入された状態におけるディスク装置の装置本体の内部を示す平面図である。図６は、大径ディスクを挿入した場合のディスク挿入完了時におけるディスク装置の装置本体の内部を示す平面図である。図７は、大径ディスクのクランプ状態時におけるディスク装置の装置本体の内部を示す平面図である。図８は、小径ディスクを挿入した場合におけるアーム位置検出スイッチ近傍の状態を示す部分拡大図である。図９は、小径ディスクを挿入した場合で小径ディスクの半分程度が挿入された状態におけるディスク装置の装置本体の内部を示す平面図である。図１０は、小径ディスクを挿入した場合のディスク挿入完了時におけるディスク装置の装置本体の内部を示す平面図である。図１１は、小径ディスクのクランプ状態時におけるディスク装置の装置本体の内部を示す平面図である。【００５４】
（大径ディスクの検出）
まず、図１に示すような初期状態のディスク装置１００に挿入されたディスク径が１２ｃｍである大径ディスク１Ａのクランプを検出する際のディスク装置の動作を説明する。図１に示す初期状態のディスク装置１００のスロット１１から大径ディスク１Ａを挿入すると、この大径ディスク１Ａの周縁部がロードアーム４２１の当接部４２１Ａを右壁１０Ｃ側に押して回動させる。これにより、リンクアーム４２３が反時計周りに回動し、スライドストッパ４２４が右壁１０Ｃ側にスライド移動する。このスライドストッパ４２４の移動により、規制ストッパ４２４Ｃがブリッジプレート４１３のアーム規制溝４１３Ａから外れて８ｃｍアーム４１４の回動範囲の規制が解除されるとともに、大径ディスク用イジェクト規制溝４２４Ｆ１および小径ディスク用イジェクト規制溝４２４Ｆ２間に位置する舌片状の部分がブリッジプレート４１３のアシスト規制溝部４１３Ｄから外れてアシストアーム４３１の回動範囲の規制が解除されてイジェクトアーム４３２の回動規制が解除される。さらに、このスライドストッパ４２４が右壁１０Ｃ側へスライド移動することにより、第１スイッチ４８Ａもオン状態となり、制御回路部が第１スイッチ４８Ａのオン状態を認識する。なお、この状態では、イジェクトアーム４３２は大径ディスク１Ａが当接せずに回動していない状態のため、第２スイッチ４８Ｂはオン状態で、かつ第３スイッチ４８Ｃはオフ状態が維持され、制御回路部はこの状態をも認識している。【００５５】
この状態でさらに大径ディスク１Ａを奥に押し込むと、大径ディスク１Ａの側縁がディスクガイド４１２の摺接面４１２Ｂに当接して、ディスクガイド４１２を左壁１０Ｂ側に回動させる。この時、ガイドレバー４１１も背面１０Ｄ側に押し込まれ、ガイドピン４１１Ｂが案内ガイド溝４１５の傾斜溝４１５Ｃおよび直線溝４１５Ｂから円弧溝４１５Ａに移動する。そして、ガイドピン４１１Ｂがこの円弧溝４１５Ａに沿って左壁１０Ｂ側に移動することで、ガイドレバー４１１は、大径ディスク１Ａの搬送方向と略平行な状態を維持したまま左壁１０Ｂ側に移動し、案内部４１１Ａにて大径ディスク１Ａの周縁部を案内する。また、このガイドピン４１１Ｂの移動により、８ｃｍアーム４１４が背面１０Ｄに近接する方向に回動する。そして、８ｃｍアーム４１４が回動すると、図４の実線で示すように、接触部材４１４Ｅがアーム位置検出スイッチ４６の進退部材４６Ｂを押して、アーム位置検出スイッチ４６がオン状態に切り換わる。この時、案内部４１１Ａの回動規制ピン４１１Ｃがプッシュアーム４１６のピン係止溝４１６Ａに係合され、プッシュアーム４１６も左壁１０Ｂ側に回動する。また、大径ディスク１Ａが押し込まれることで、大径ディスク１Ａの側縁がイジェクトアーム４３２の当接部４３２Ｃに当接してイジェクトアーム４３２を回動させる。このイジェクトアーム４３２の回動により歯車４３１Ｂにて係合するアシストアーム４３１も回動する。【００５６】
この後、例えば図５に示すように大径ディスク１Ａの半分程度が挿入されることで、ロードアーム４２１が内方側、すなわち時計回り方向に付勢されているため、大径ディスク１Ａの周縁に沿って移動する。そして、ロードアーム４２１はこの付勢力により大径ディスク１Ａを正面１０Ａから背面１０Ｄ側に押し込む。この図５に示す状態では、イジェクトアーム４３２はさらに回動され、第２スイッチ４８Ｂがオフ状態となり、第３スイッチ４８Ｃがオン状態に切り替り、制御回路部が第２スイッチ４８Ｂのオフ状態および第３スイッチ４８Ｃのオン状態を認識する。そして、第１スイッチ４８Ａはオン状態であることから、制御回路部は大径ディスク１Ａが挿入されたと判断し、後述するように、搬送モータ３１を駆動して第１駆動カム４４および第２駆動カム４５を移動させる。また、大径ディスク１Ａの半分以上が装置本体１０内部に挿入されると、さらに、大径ディスク１Ａの半分以上がガイドレバー４１１およびディスクガイド４１２の接続部を通過すると、板ばね４１１Ｄが内方側に付勢されているため、正面１０Ａ側が内方側に突出するように、ガイドレバー４１１が傾斜し、大径ディスク１Ａを奥部に案内する。【００５７】
そして、図６に示すように、大径ディスク１Ａの中心部が、ターンテーブル２３上に移動されると、ディスクローディングが完了した状態となる。そして、図７に示すように、ターンテーブル２３に大径ディスク１Ａがクランプされる。これには、大径ディスク１Ａの挿入により、図示しない挿入検出スイッチが押され、上述したように、制御回路部が第１スイッチ４８Ａのオン状態、第２スイッチ４８Ｂのオフ状態および第３スイッチ４８Ｃのオン状態を認識して搬送モータ３１（図１参照）を駆動させ、第１の駆動カム４４が正面１０Ａ側に移動する。この時、突起部５２が第１の駆動カム４４の第１カム溝５３Ａに挿通され、大径ディスク１Ａとの間にクリアランスが設けられた状態でロードアーム４２１の位置が固定される。また、第１の駆動カム４４の移動に連動して第２の駆動カム４５も左壁１０Ｂ側に移動する。そして、これらの第１の駆動カム４４および第２の駆動カム４５により台座部２１が天面側に移動し、大径ディスク１Ａがクランプされる。【００５８】
また、第２の駆動カム４５が左壁１０Ｂ側に移動することで、スライドストッパ４２４が左壁１０Ｂ側に移動し、スライドストッパ４２４の大径ディスク用逃げ部４２４Ｇ１に８ｃｍアーム４１４のアーム規制ピン４１４Ａが乗り上げるようにして係合し、８ｃｍアーム４１４が背面１０Ｄ側へ移動されてガイドレバー４１１が左壁１０Ｂ側へ移動される（図１参照）。さらに、プッシュストッパ４２４Ｅがプッシュアーム４１６の押え片４１６Ｂに当接される。これらにより、ガイドレバー４１１が左壁１０Ｂ側に押さえ付けられ、大径ディスク１Ａとの間に所定寸法のクリアランスが設けられる。また、スライドストッパ４２４の移動によりアシストアーム４３１のイジェクト規制ピン４３１Ａが大径ディスク用イジェクト規制溝４２４Ｆ１に係合され、イジェクトアーム４３２の当接部４３２Ｃも大径ディスク１Ａとの間に所定寸法のクリアランスが設けられた状態で移動が規制される。さらに、第２の駆動カム４５が左壁１０Ｂ側に移動すると、図３の想像線で示すように、カム突出部４５Ａがクランプ検出スイッチ４７の進退部材４７Ｂを押して、クランプ検出スイッチ４７がオン状態に切り換わる。そして、制御回路部は、アーム位置検出スイッチ４６のオン状態と、クランプ検出スイッチ４７のオン状態と、を認識して、大径ディスク１Ａがクランプされたことを検出する。【００５９】
この後、ディスク装置１００は、操作者により例えばイジェクトボタンが押されるなどすると、制御回路部にて、アーム位置検出スイッチ４６およびクランプ検出スイッチ４７のオンオフ状態により大径ディスク１Ａがクランプされていると判断しているため、大径ディスク１Ａの排出処理を直ちに開始する。【００６０】
（小径ディスクの検出）
次に、図１に示すような初期状態のディスク装置１００に挿入されたディスク径が８ｃｍである小径ディスク１Ｂのクランプを検出する際のディスク装置の動作を説明する。初期状態のディスク装置１００のスロット１１から小径ディスク１Ｂを挿入すると、図９に示すように、小径ディスク１Ｂの周縁部がロードアーム４２１の当接部４２１Ａに当接するとともにディスクガイド４１２に当接し、当接部４２１Ａを小径ディスク１Ｂの周縁が滑動する状態でディスクガイド４１２を押し込んで左壁１０Ｂ側に回動させる。この時、ガイドレバー４１１も背面１０Ｄ側に押し込まれ、ガイドピン４１１Ｂが案内ガイド溝４１５の傾斜溝４１５Ｃから直線溝４１５Ｂに移動する。なお、小径ディスク１Ｂの押し込み挿入により周縁部がロードアーム４２１の当接部４２１Ａを右壁１０Ｃ側に多少押して回動させることとなるが、大きな力で押し込まれなければ、回動量は小さい。このため、リンクアーム４２３が反時計周りに回動してスライドストッパ４２４が右壁１０Ｃ側にスライド移動することはなく、第１スイッチ４８Ａはオフ状態が維持され、制御回路部は第１スイッチ４８Ａのオフを認識している。そして、小径ディスク１Ｂの右側となる周縁がロードアーム４２１の当接部４２１Ａよりも背面１０Ｄ側に挿入されると、ロードアーム４２１が内方側に回動して小径ディスク１Ｂを中心位置に押し込む。また、小径ディスク１Ｂが左壁１０Ｂ側に片寄った位置から挿入された場合では、小径ディスク１Ｂは、ディスクガイド４１２の摺接面４１２Ｂに沿って中心位置に誘導されて挿入される（図１参照）。【００６１】
そして、小径ディスク１Ｂの右端部がロードアーム４２１の当接部４２１Ａよりも背面１０Ｄ側に移動すると、このロードアーム４２１の付勢力により小径ディスク１Ｂがより背面１０Ｄ側に送り出される。この時、ガイドレバー４１１は、ガイドピン４１１Ｂが直線溝４１５Ｂに係合されているため、ガイドレバー４１１の案内部４１１Ａからターンテーブル２３の中心位置までの距離が小径ディスク１Ｂの半径寸法に略一致する。したがって、ロードアーム４２１により押し込まれた小径ディスク１Ｂはガイドレバー４１１の案内部４１１Ａに沿って、ターンテーブル２３の上方に搬送される。また、このとき、ガイドレバー４１１が左壁１０Ｂから離れた位置に位置しているため、８ｃｍアーム４１４が背面１０Ｄから離れた位置に位置することとなる。このため、図８の実線で示すように、接触部材４１４Ｅがアーム位置検出スイッチ４６の進退部材４６Ｂに押さずに、アーム位置検出スイッチ４６のオフ状態が維持される。【００６２】
この後、例えば図９に示すように小径ディスク１Ｂの半分程度が挿入されると、ロードアーム４２１が内方側すなわち時計回り方向に付勢されているため、ロードアーム４２１はほとんど回動せず、スライドストッパ４２４の第３係合凹部４２４Ｂにリンクアーム４２３の係合突起４２３Ｃが係合する状態が維持され、スライドストッパ４２４は移動しない。このことにより、ブリッジプレート４１３のアーム規制溝４１３Ａの一部をスライドストッパ４２４の規制ストッパ４２４Ｃが閉塞するとともに、大径ディスク用イジェクト規制溝４２４Ｆ１および小径ディスク用イジェクト規制溝４２４Ｆ２間に位置する舌片状の部分がブリッジプレート４１３のアシスト規制溝部４１３Ｄの一部を閉塞する状態となり、移動溝４２４Ｆ３が小径ディスク用イジェクト規制溝４２４Ｆ２に連通する状態が維持されている。このことにより、８ｃｍアーム４１４およびイジェクトアーム４３２の双方の回動範囲が規制される。なお、スライドストッパ４２４が右壁１０Ｃ側に移動されないことから、第１スイッチ４８Ａはオフ状態が維持され、制御回路部が第１スイッチ４８Ａのオフ状態を認識する。【００６３】
そして、８ｃｍアーム４１４の移動規制により回動規制されたガイドレバー４１１とロードアーム４２１間で案内され、例えば図９に示すように小径ディスク１Ｂの半分程度が挿入されることで、ロードアーム４２１が内方側、すなわち時計回り方向に付勢されているため、小径ディスク１Ｂを正面１０Ａから背面１０Ｄ側に押し込む。この押し込みにより、ターンテーブル２３上に中心部が位置する状態まで小径ディスク１Ｂが搬送されると、回動規制されたイジェクトアーム４３２によりさらに奥には搬送されず、確実にターンテーブル２３上に中心部が位置する状態となり、ディスクローディングが完了した状態となる。そして、図１０に示すように、ターンテーブル２３に小径ディスク１Ｂがクランプされる。これには、大径ディスク１Ａのクランプと同様、図示しない挿入検出スイッチが押され、第１の駆動カム４４、第２の駆動カム４５により台座部２１が天面側に移動し、小径ディスク１Ｂがクランプされる。すなわち、中心部がターンテーブル２３上に略位置する状態で、第２スイッチ４８Ｂがオフ状態となり、第３スイッチ４８Ｃがオン状態に切り替り、制御回路部が第２スイッチ４８Ｂのオフ状態および第３スイッチ４８Ｃのオン状態を認識する。そして、第１スイッチ４８Ａはオフ状態であることから、制御回路部は小径ディスク１Ｂが挿入されたと判断し、上述するように、搬送モータ３１を駆動して第１駆動カム４４および第２駆動カム４５を移動させる。【００６４】
この第２の駆動カム４５が左壁１０Ｂ側に移動することで、大径ディスク１Ａのクランプ時と同様、スライドストッパ４２４が左壁１０Ｂ側に移動し、スライドストッパ４２４の小径ディスク用逃げ溝４２４Ｇ２に８ｃｍアーム４１４のアーム規制ピン４１４Ａが係合し、８ｃｍアーム４１４が背面１０Ｄ側へ移動されてガイドレバー４１１が左壁１０Ｂ側へ移動される。これにより、図１１に示すように、ガイドレバー４１１と小径ディスク１Ｂとの間に所定寸法のクリアランスが設けられる。なお、イジェクトアーム４３２のアーム制御突起４３２Ｄが８ｃｍアーム４１４の側縁に当接し、８ｃｍアーム４１４の回動を規制する。これにより、ガイドレバー４１１は、小径ディスク１Ｂとの間に所定寸法のクリアランスが設けられた状態で移動が規制される。さらに、スライドストッパ４２４の移動により、アシストアーム４３１のイジェクト規制ピン４３１Ａが小径ディスク用イジェクト規制溝４２４Ｆ２に係合される。これにより、図１１に示すように、イジェクトアーム４３２の当接部４３２Ｃは、小径ディスク１Ｂとの間に所定寸法のクリアランスが設けられた状態で移動が規制される。さらに、第２の駆動カム４５が左壁１０Ｂ側に移動すると、大径ディスク１Ａのクランプ時と同様に、クランプ検出スイッチ４７がオン状態に切り換わる。そして、制御回路部は、アーム位置検出スイッチ４６のオフ状態と、クランプ検出スイッチ４７のオン状態と、を認識して、小径ディスク１Ｂがクランプされたことを検出する。【００６５】
この後、ディスク装置１００は、操作者により例えばイジェクトボタンが押されるなどすると、制御回路部にて、アーム位置検出スイッチ４６およびクランプ検出スイッチ４７のオンオフ状態により小径ディスク１Ｂがクランプされていると判断しているため、小径ディスク１Ｂの排出処理を直ちに開始する。【００６６】
〔ディスク装置の作用効果〕
上述したように、上記一実施形態では、装置本体１０に開口形成され径寸法が異なる大径ディスク１Ａおよび小径ディスク１Ｂを挿通可能なスリット状のスロット１１と、装置本体１０内に配設され光ディスク１を回転可能に保持するターンテーブル２３との間で、光ディスク１の搬送経路に対して交差する方向に進退可能で光ディスクの周縁に当接して案内するディスクガイド機構４１と、搬送経路を介してディスクガイド機構４１に対して反対側に位置し搬送経路と交差する方向に進退可能で光ディスク１の周縁に当接して光ディスク１をディスクガイド機構４１とにて案内しつつスロット１１からターンテーブル２３へ押し込むロードアーム４２１と、搬送経路に進退可能でスロット１１から挿入されロードアーム４２１にて押し込まれる光ディスク１の周縁に当接して搬送経路に対して後退し搬送経路に進出することで光ディスク１をスロット１１へ送り出すイジェクトアーム４３２と、にて光ディスク１を保持して搬送する搬送手段３０に、スロット１１から挿入される光ディスク１の径寸法に対応して移動されるロードアーム４２１の移動状態に応じて移動可能に装置本体１０内に配設され、ディスクガイド機構４１およびイジェクトアーム４３２のうちの少なくともいずれか一方、具体的には双方に係脱可能で、移動状態に応じてディスクガイド機構４１およびイジェクトアーム４３２の移動を光ディスク１の径寸法に応じて規制するスライドストッパ４２４を設けている。このため、各種センサを複数設けてスロット１１から挿入される光ディスク１の径寸法を検出するなどの複雑な構成とすることなく、挿入される光ディスク１の径寸法に対応して、ディスクガイド機構４１とロードアーム４２１とイジェクトアーム４３２とによる３箇所の適切な保持が機械的に得られ、ディスクガイド機構４１とロードアーム４２１とイジェクトアーム４３２との当接する位置間に光ディスク１が侵入するなどを防止でき、光ディスク１の中心がターンテーブル２３上に位置する状態に適切に搬送できる。【００６７】
そして、ディスクガイド機構４１およびイジェクトアーム４３２のうちの少なくともいずれか一方に第１係止部を設け、具体的にはディスクガイド機構４１にアーム規制ピン４１４Ａを設けるとともに、イジェクトアーム４３２に連結して回動が同期するアシストアーム４３１にイジェクト規制ピン４３１Ａを設ける。さらに、スライドストッパ４２４には、スロット１１より挿入された径寸法の異なる光ディスク１にイジェクトアーム４３２が当接して移動される移動量に応じて第１係止部が係脱しディスクガイド機構４１およびイジェクトアーム４３２のうちの少なくともいずれか一方の移動の規制状態を切り替える第１係合部、具体的には保持する光ディスク１の径寸法に対応して、アーム規制ピン４１４Ａが係脱する規制ストッパ４２４Ｃを設けるとともにイジェクト規制ピン４３１Ａが係脱するイジェクト規制窓４２４Ｆを設けている。このため、機械的に光ディスク１の径寸法に対応した適切な保持が容易に得られる。【００６８】
また、イジェクト規制ピン４３１Ａが係脱するスライドストッパ４２４のイジェクト規制窓４２４Ｆとして、大径ディスク用イジェクト規制溝４２４Ｆ１および小径ディスク用イジェクト規制溝４２４Ｆ２の複数設けた構成とし、イジェクトアーム４３２の移動量に対応して移動するイジェクト規制ピン４３１Ａがスライドストッパ４２４の移動により大径ディスク用イジェクト規制溝４２４Ｆ１または小径ディスク用イジェクト規制溝４２４Ｆ２に係脱して光ディスク１の径寸法に対応してそれぞれ係脱させている。このため、機械的に光ディスク１の径寸法に対応して適切に保持する構成が容易に得られる。【００６９】
さらに、スライド移動するスライドストッパ４２４におけるイジェクト規制窓４２４Ｆとして、スライド移動の移動方向に略沿った方向に凹溝状に大径ディスク用イジェクト規制溝４２４Ｆ１および小径ディスク用イジェクト規制溝４２４Ｆ２を設け、これら大径ディスク用イジェクト規制溝４２４Ｆ１および小径ディスク用イジェクト規制溝４２４Ｆ２におけるスライドストッパ４２４の移動方向と反対側の端部を、イジェクトアーム４３２の移動により移動するピン状のイジェクト規制ピン４３１Ａの移動軌跡に応じて滑動する移動溝４２４Ｆ３にて連通する状態、すなわち略Ｆ字状に構成している。このため、機械的に光ディスク１の径寸法に対応して適切に保持する構成が容易に得られる。【００７０】
そして、イジェクトアーム４３２を光ディスク１の周縁が当接する端部が搬送経路に進退可能に回動可能に配設し、このイジェクトアーム４３２の回動軸となる回動中心に同軸上に歯車部４３２Ａを設け、この歯車部４３２Ａに噛合する歯車４３１Ｂを有したアシストアーム４３１を設けている。このため、光ディスク１の搬送のための保持とスロット１１へ送り出すためのイジェクトアーム４３２は移動量が比較的に大きくなることから、アシストアーム４３１にて回動量を相対的に小さくしてこのアシストアーム４３１にイジェクト規制ピン４３１Ａを設けることで、イジェクトアーム４３２にイジェクト規制ピン４３１Ａを設けることでイジェクト規制ピン４３１Ａの移動量も大きくなってしまうことによる大型化などの不都合を防止でき、ディスク装置１００の小型化が容易に得られる。【００７１】
また、スライドストッパ４２４には、スロット１１より挿入された径寸法の異なる光ディスク１にディスクガイド機構４１が当接して移動される移動量に応じてディスクガイド機構４１のアーム規制ピン４１４Ａが係脱しディスクガイド機構４１の移動の規制状態を切り替える規制ストッパ４２４Ｃを設けている。このため、機械的に光ディスク１の径寸法に対応した適切な保持が容易に得られる。【００７２】
さらに、スライド移動するスライドストッパ４２４における規制ストッパ４２４Ｃとして、ディスクガイド機構４１の移動により移動するピン状のアーム規制ピン４１４Ａの移動経路となるアーム規制溝４１３Ａに進退可能に舌片状に突設し、アーム規制溝４１３Ａに進出することでアーム規制ピン４１４Ａが当接してディスクガイド機構４１の移動を適宜規制している。このため、ディスクガイド機構４１とロードアーム４２１とイジェクトアーム４３２とによる３箇所の適切な保持が機械的に得られ、光ディスク１の中心がターンテーブル２３上に位置する状態に適切に搬送できる。【００７３】
そして、規制ストッパ４２４Ｃにおける突出方向の両側基端部に、スライドストッパ４２４の移動方向に対して交差する方向にそれぞれ同方向に傾斜し、スライドストッパ４２４の移動によりアーム規制ピン４１４Ａが係合して、ディスクガイド機構４１およびイジェクトアーム４３２をターンテーブル２３に保持された光ディスク１の周縁から離間する状態に移動させる大径ディスク用逃げ部４２４Ｇ１および小径ディスク用逃げ溝４２４Ｇ２を設けている。具体的には、ターンテーブル２３から離れる方向に段差状に傾斜する大径ディスク用逃げ部４２４Ｇ１およびターンテーブル２３から離れる方向に一縁が傾斜する凹溝状の小径ディスク用逃げ溝４２４Ｇ２をそれぞれ設けている。このため、光ディスク１を搬送した搬送手段３０を、光ディスク１の情報処理のために離間させる状態が簡単な構成で得られるとともに、適切に搬送するための構成を利用しているため、構成のより簡略化が得られ、小型化が容易に得られる。【００７４】
また、ロードアーム４２１に連結して回動が同期するリンクアーム４２３に係合突起４２３Ｃを設ける。さらに、スライドストッパ４２４には、スロット１１から挿入された径寸法の異なる光ディスク１にイジェクトアーム４３２が当接して移動される移動量に応じて係合突起４２３Ｃが係脱することでスライドストッパ４２４を適宜移動させてディスクガイド機構４１およびイジェクトアーム４３２のうちの少なくともいずれか一方、具体的には双方の移動の規制状態を解除させる第３係合凹部４２４Ｂを形成している。このため、ディスクガイド機構４１とロードアーム４２１とイジェクトアーム４３２とによる３箇所の適切な保持が機械的に得られ、光ディスク１の中心がターンテーブル２３上に位置する状態に適切に搬送できる構成が容易に得られる。【００７５】
さらに、スライド移動するスライドストッパ４２４の第３係合凹部４２４Ｂとして、互いの係合の際に活動してスライドストッパ４２４を移動、具体的には光ディスク１の搬送方向に対して傾斜する傾斜縁である傾斜当接部４２４Ａを設けている。このため、適宜スライドストッパ４２４を移動させることが簡単な構成で容易に得られる。【００７６】
そして、搬送モータ３１と、スライドストッパ４２４の移動に対応してオンオフする第１スイッチ４８Ａと、この第１スイッチ４８Ａのオンオフにより搬送モータ３１を駆動させる制御回路部と、スライドストッパ４２４に係合し搬送モータ３１の駆動により移動させてスライドストッパ４２４を移動させ、ターンテーブル２３を搬送経路上に進退させて光ディスク１の保持または保持の解除を実施させる第１の駆動カム４４および第２の駆動カム４５と、を設けている。このため、搬送した光ディスク１を保持する状態にターンテーブル２３を搬送経路上に進出させたり、光ディスク１の保持を解除して搬出可能な状態にターンテーブル２３を搬送経路から後退させたりするための動作が、簡単なスイッチ構成により容易に得られるとともに、搬送するためのスライドストッパ４２４やイジェクトアーム４３２に連結するアシストアーム４３１の移動状態をスイッチ構成により検出するので、より構成の簡略化が得られる。【００７７】
また、ディスク装置１００に、光ディスク１の周縁に摺接しつつ光ディスク１をターンテーブル２３でクランプされる状態に案内するガイドレバー４１１と、ターンテーブル２３でクランプされた光ディスク１を装置本体１０から排出する方向に付勢するための８ｃｍアーム４１４と、を設けている。さらに、ターンテーブル２３で光ディスク１がクランプされた際、８ｃｍアーム４１４の停止位置を検出するアーム位置検出スイッチ４６を設けている。このため、アーム位置検出スイッチ４６で検出する簡単な構成で８ｃｍアーム４１４の停止位置を認識するだけで、ターンテーブル２３にクランプされた光ディスク１の径寸法を判別できる。したがって、スピンドルモータやタイマなどの複数の構成の動作を制御して径寸法を判別する従来の構成と比べて、簡単な構成で光ディスク１の径寸法を判別できる。【００７８】
さらに、アーム位置検出スイッチ４６として、スイッチ基体４６Ａと、このスイッチ基体４６Ａに進退可能に設けられた進退部材４６Ｂと、を備えた構成を適用している。また、８ｃｍアーム４１４に、大径ディスク１Ａがクランプされた際の停止位置に位置した際に、進退部材４６Ｂを押してオン状態にする接触部材４１４Ｅを設けている。このため、アーム位置検出スイッチ４６のオンオフ状態を認識するだけの簡単な構成で、光ディスク１の径寸法を判別できる。【００７９】
また、８ｃｍアーム４１４を、回動軸４１４Ｄを中心に回動可能に設けている。そして、接触部材４１４Ｅを、回動軸４１４Ｄ近傍に設けている。このため、例えば環境変化や径時変化により８ｃｍアーム４１４が変形した場合、接触部材４１４Ｅを８ｃｍアーム４１４における回動軸４１４Ｄから離間した位置に設ける構成と比べて、回動軸４１４Ｄから接触部材４１４Ｅまでの距離の変位量を最小限に抑えることができる。すなわち、接触部材４１４Ｅと進退部材４６Ｂとの接触状態の変化量を最小限に抑えることができる。したがって、径寸法の判別処理を精度よく実施できる。【００８０】
そして、上記実施形態のように、ターンテーブル２３および光ディスク１の情報を処理する情報処理部２４を備えたディスク装置１００に、アーム位置検出スイッチ４６、ガイドレバー４１１、８ｃｍアーム４１４を設けることで、簡単な構成で光ディスク１の径寸法を判別できるディスク装置１００を提供できる。【００８１】
さらに、ディスク装置１００に、光ディスク１がクランプされたか否かを検出するクランプ検出スイッチ４７を設けている。このため、光ディスク１がクランプされている状態でイジェクトボタンが押された場合、アーム位置検出スイッチ４６のオンオフ状態に基づいて光ディスク１の径寸法を判別して、径寸法に応じた状態に各部材の動作を直ちに制御することができる。したがって、利用者が例えば電源をオフからオンに切り替えてすぐに光ディスク１を交換する場合であっても、電源オン直後にアーム位置検出スイッチ４６のオンオフ状態に基づいて光ディスク１の径寸法を認識して、径寸法に対応した排出動作を直ちに開始できる。【００８２】
〔実施形態の変形〕
なお、本発明は、上述した一実施形態に限定されるものではなく、本発明の目的を達成できる範囲で以下に示される変形をも含むものである。【００８３】
すなわち、読取処理および記録処理をするディスク装置１００を例示したが、読取処理のみあるいは記録処理のみのディスク装置１００に適用することができる。そして、光ディスク１を例示して説明したが、光ディスクに限らず、磁気ディスクや光磁気ディスクなどのデジタル処理する構成のみならず、レコード盤などのアナログ処理するものにも適用できる。さらには、１２ｃｍおよび８ｃｍの２種類の光ディスク１を例示したが、これらの光ディスク１に限らず、他の径の光ディスク１、さらには３種類以上の径の異なるディスク状記録媒体を搬送する構成としてもよい。【００８４】
そして、スライドストッパ４２４にて係脱してディスクガイド機構４１およびイジェクトアーム４３２の移動規制を例示したが、いずれか一方のみで移動規制する構成に適用し、他方の移動規制は他の構成にて実施してもよい。また、スライドストッパ４２４をスライド移動する構成を例示したが、回転移動など、いずれの移動形態とすることができる。【００８５】
また、スライドストッパ４２４とロードアームに連結して回動が同期するリンクアーム４２３とを係脱させてスライドストッパ４２４の移動規制状態を切り替え、ディスクガイド機構４１およびイジェクトアーム４３２の移動規制状態を切り替えて説明したが、この構成に限らず、いずれの方法でディスクガイド機構４１およびイジェクトアーム４３２の移動を適宜規制できる。【００８６】
そして、第１スイッチ４８Ａ、第２スイッチ４８Ｂおよび第３スイッチ４８Ｃにより挿入された径寸法を判断する構成を設けたが、この構成を設けなくてもよい。また、これらスイッチ機構としては、光センサや磁気センサなど各種構成が適用できる。さらには、アーム位置検出スイッチ４６を、大径ディスク１Ａがクランプされた際の８ｃｍアーム４１４の停止位置を検出可能な位置に設けた例を示したが、これに限定されず、ガイドレバー４１１、ディスクガイド４１２、プッシュアーム４１６、ロードアーム４２１、リンクアーム４２３、アシストアーム４３１、イジェクトアーム４３２の停止位置を検出可能な位置に設ける構成としてもよい。さらに、小径ディスク１Ｂがクランプされた際の上述した各部材の停止位置を検出可能な位置に設ける構成としてもよい。また、アーム位置検出スイッチ４６を設けなくてもよい。【００８７】
さらに、クランプ検出スイッチ４７を、光ディスク１が挿入された際のスライドストッパ４２４によりオンオフされる位置に設ける構成としてもよい。また、クランプ検出スイッチ４７は各種構成が適用でき、設けなくてもよい。【００８８】
その他、本発明の実施の際の具体的な構造は、本発明の目的を達成できる範囲で他の構造などに適宜変更できる。【００８９】
〔実施形態の効果〕
上述したように、上記一実施形態では、装置本体１０に開口形成され径寸法が異なる大径ディスク１Ａおよび小径ディスク１Ｂを挿通可能なスリット状のスロット１１と、装置本体１０内に配設され光ディスク１を回転可能に保持するターンテーブル２３との間で、光ディスク１の搬送経路に対して交差する方向に進退可能で光ディスクの周縁に当接して案内するディスクガイド機構４１と、搬送経路を介してディスクガイド機構４１に対して反対側に位置し搬送経路と交差する方向に進退可能で光ディスク１の周縁に当接して光ディスク１をディスクガイド機構４１とにて案内しつつスロット１１からターンテーブル２３へ押し込むロードアーム４２１と、光ディスク１の周縁に当接して搬送経路に進退可能でスロット１１から挿入されロードアーム４２１にて押し込まれる光ディスク１の周縁に当接して搬送経路に対して後退し搬送経路に進出することで光ディスク１をスロット１１へ送り出すイジェクトアーム４３２と、にて光ディスク１を保持して搬送する搬送手段３０に、スロット１１から挿入される光ディスク１の径寸法に対応して移動されるロードアーム４２１の移動状態に応じて移動可能に装置本体１０内に配設され、ディスクガイド機構４１およびイジェクトアーム４３２のうちの少なくともいずれか一方、具体的には双方に係脱可能で、移動状態に応じてディスクガイド機構４１およびイジェクトアーム４３２の移動を光ディスク１の径寸法に応じて規制するスライドストッパ４２４を設けている。このため、各種センサを複数設けてスロット１１から挿入される光ディスク１の径寸法を検出するなどの複雑な構成とすることなく、挿入される光ディスク１の径寸法に対応して、ディスクガイド機構４１とロードアーム４２１とイジェクトアーム４３２とによる３箇所の適切な保持が機械的に得られ、ディスクガイド機構４１とロードアーム４２１とイジェクトアーム４３２との当接する位置間に光ディスク１が侵入するなどを防止でき、光ディスク１の中心がターンテーブル２３上に位置する状態に適切に搬送できる。
【産業上の利用可能性】
【００９０】
本発明は、径寸法が異なるディスク状の記録媒体が挿通可能な開口部と記録媒体を回転可能に保持するターンテーブルとの間で記録媒体を搬送する搬送装置、および、ディスク装置に利用できる。
【図１】
2007046421.tif 000003
【図２】
2007046421.tif 000004
【図３】
2007046421.tif 000005
【図４】
2007046421.tif 000006
【図５】
2007046421.tif 000007
【図６】
2007046421.tif 000008
【図７】
2007046421.tif 000009
【図８】
2007046421.tif 000010
【図９】
2007046421.tif 000011
【図１０】
2007046421.tif 000012
【図１１】
2007046421.tif 000013
【国際調査報告】
2007046421.tif 000014
2007046421.tif 000015
2007046421.tif 000016